(57)【要約】【課題】  トラクタから外された後のトラクタ側と農作業機側のワイヤハーネス連結部カプラに、雨水やホコリや土等が浸入しないようにするとともに劣化を防止する。【解決手段】  トラクタ側と農作業機側とに亘って設けたワイヤハーネス９１の中間部に、トラクタ側と農作業機側とに分割できるように着脱可能なカプラ９０を設け、該カプラ９０部には連結を外した後のカプラ全体を覆うカバー９２を設けた。これによりカプラ部は、雨水やホコリ等から保護され、カプラ部が早期に劣化したり、端子やカプラ内に不用意にホコリや土等が入り込んで差込ができなくなる等の問題が解消される【選択図】      図１
2007195447.tif 000002
【特許請求の範囲】
【請求項１】
トラクタに装着して使用する農作業機において、トラクタ側と作業機側とにわたって設けたワイヤハーネスの中間部に、トラクタ側と作業機側とに分割できるように着脱可能なカプラを設け、該カプラ部には連結を外した後のカプラ全体を収納可能なカバーを設けたことを特徴とするトラクタに装着して使用する農作業機。
【発明の詳細な説明】
【技術分野】
【０００１】
本発明は、トラクタに装着して使用する農作業機において、電動作動装置の電気配線構造に関する。
【背景技術】
【０００２】
従来技術としては、例えば特開２００１−２２４２０３号公報（特許文献１）では「トラクタの後部に整地用のリヤカバーを有するロータリ耕耘装置を昇降可能に装着した農作業機の耕深制御装置において、操縦席に設けられる耕深目標値を設定する耕深設定ダイヤルと、ロータリ耕耘装置の耕耘深さを検出するデプスセンサと、リヤカバーの荷重を検出する荷重センサと、荷重センサの測定値が大きくなればなるほどロータリ耕耘装置の昇降による耕深制御の不感帯の幅を狭く設定し、耕深設定ダイヤルの耕深目標値とデプスセンサにより検出される耕深検出値が前記不感帯の幅の内部にあるときにはロータリ耕耘装置の耕耘深さ制御を行わない制御手段を設けたことを特徴とする耕新制御装置」で公知のように、農作業機側のセンサ信号をトラクタ１に設けたコントローラ３４へ伝えるハーネス３５がトラクタの後部でカプラ３５ａにより連結されている。そして、農作業機をトラクタから外すときにカプラ３５ａの外し忘れ防止のため警告ブザーを鳴らすとの記載もされている。
【特許文献１】特開２００１−２２４２０３号公報
【発明の開示】
【発明が解決しようとする課題】
【０００３】
前記従来技術における農作業機等は、トラクタから外された後のワイヤハーネス連結部のカプラは、農作業機側とトラクタ側の結合が外され端子が剥き出しの状態となり、屋外等に放置された場合は雨水やホコリ等から無防備の状態となる。このため端子部やカプラ部が早期に劣化したり、絶縁不良の原因となることや、端子やカプラ内に不用意に土や異物が入り込んで差込ができなくなる等の問題があった。
【０００４】
このため本発明の目的は、トラクタと農作業機の連結が外された後のワイヤハーネスのカプラ部の保護を目的としたものである。
【課題を解決するための手段】
【０００５】
上記課題を解決するために、トラクタに装着して使用する農作業機において、トラクタ側と作業機側とにわたって設けたワイヤハーネスの中間部に、トラクタ側と作業機側とに分割できるように着脱可能なカプラを設け、該カプラ部には連結を外した後のカプラ全体を収納可能なカバーを設けたことを特徴とするトラクタに装着して使用する農作業機を提供する。
【発明の効果】
【０００６】
以上のような構成にしたことにより、トラクタと農作業機の連結が外された後のワイヤハーネスのカプラ部は、カプラ全体を覆うカバー体により雨水やホコリ等から保護され、カプラ部が早期に劣化したり、絶縁不良による作動不良の発生や、端子やカプラ内に不用意にホコリや土等が入り込んで差込ができなくなる等の問題が解消される。
【発明を実施するための最良の形態】
【０００７】
以下、本発明の実施形態を図面に基づいて説明する。図１は本発明を実施したカプラ部の斜視図、図２は同カプラをカバーで覆った状態の斜視図、図３は電動作動部を有した農作業機の一例である肥料散布機のワイヤハーネスの連結説明図、図４は同肥料散布機の一部を断面した斜視図、図５は同肥料散布機の電気回路図、図６はトラクタに装着した状態の肥料散布機の側面図である。
【０００８】
電動作動部を有した農作業機の一例である肥料散布機の場合を例にして本発明の実施形態を説明する。Ａは肥料散布機を示し、１は機枠で前方にはトップブラケット１１とロアリンクブラケット１２Ｌ，１２Ｒを備え、図示されていないがトラクタ３点リンク機構に装着される。
【０００９】
２はホッパで逆円錐形状に形成されていて、上方に開口した肥料投入口を有し、下方は投入された肥料の排出口となっている。ホッパ２は機枠１の上部に配置され、このホッパ２と機枠１の間には底板２１が設けられ、ホッパ２内部に肥料を搭載可能としてある。３はアジテータで、ホッパ２内部に回転自在に設けられて肥料の攪拌や繰り出しを行う。
【００１０】
４はスピンナで水平面をもつ円盤で、上面には散布羽根４１を複数個設けてあり、前記ホッパ２の下方で前記機枠１に回転自在に配置され、上方のホッパ２より落下供給された肥料を散布する。
【００１１】
５はミッションで前方に突設した入力軸５１を有し、図示されていないがトラクタＰＴＯ軸とユニバーサルジョイントで連結され回転動力をミッション５へ伝達し、この回転動力はミッション５内に備えられるベベルギヤを介し垂直方向に突設した出力軸へ伝達され、この出力軸はミッション５の上方に配置される前記スピンナ４及び前記アジテータ３が連結され回転駆動する。
【００１２】
６はシャッタで前記底板２１の下部に前後方向摺動自在に設け、スライドすることにより底板２１に形成した開口部ａに対して開閉作用をする。そして、ホッパ２内に搭載した肥料が回転するアジテータ３の作用により前記開口部ａより落下し、下方で回転する前記スピンナ４により後方に向け広域に散布される。
【００１３】
７はシャッタ開閉装置で前記機枠１の前方上部に配置される。シャッタ開閉装置７は前記シャッタ６の開閉作用を電気的に行うもので、モータギヤ７１を備えた電動モータＭとモータギヤ７１と噛合し、水平方向に軸支されたシャッタギヤプレート７２を有し、このシャッタギヤプレート７２はシャッタロット７３を介し、前記シャッタ６と連結され水平回動するシャッタリンク７４と連結される。モータギヤ７１を備えた電動モータＭが回動することにより、噛合するシャッタギヤプレート７２を前後方向に回動させ、シャッタロット７３にて連結されるシャッタリンク７４を水平回動させ連結するシャッタ６をスライドさせる。
【００１４】
８はシャッタ開度制御装置で電気回路を備えており、主電源をＯＮ，ＯＦＦするメインスイッチ８１ａ、シャッタ開度設定装置であるシャッタ開度設定ダイヤル８１ｂ、シャッタの開閉動作を指示するシャッタ開閉スイッチ８１ｃ、シャッタ全閉時点灯するシャッタ全閉ランプ８１ｄ及びシャッタ開度確認ランプ８１ｅを備えたコントロールボックス８１からの電気信号指示により制御回路が作動し電動モータＭを動作させる。前記コントロールボックス８１は図６に示すようにトラクタ座席運転者近傍に配置され農作業機側とトラクタ側の中間部でカプラ９０により着脱自在に連結されている。
【００１５】
前記コントロールボックス８１に設けられたシャッタ開度設定ダイヤル８１ｂを回動させることにより前記シャッタ６のスライド量、つまりシャッタ開度を任意に設定することができる。このシャッタ開度設定ダイヤル８１ｂを回動させ所望のシャッタ開度に設定すると、シャッタ開度指示抵抗値をシャッタ開度制御装置８へ出力し、前記電動モータＭが回動を開始し前記シャッタギヤプレート７２を回動させる。
【００１６】
このシャッタギヤプレート７２の軸支部にはポテンショメータ８２が設けてあり、シャッタギヤプレート７２の回動にともない電気抵抗値の変位をシャッタ開度制御装置８へ出力し、前記シャッタ開度設定ダイヤル８１ｂにより設定されたシャッタ開度指示抵抗値と同じ値になるまで電動モータＭを回動させ、設定開度までシャッタ６がスライドするようになっている。そして、シャッタ開度指示抵抗値と同じ値に電動モータＭが回動してシャッタ６が設定開度に達すると、シャッタ開度確認ランプ８１ｅが点灯する。
【００１７】
又、前記コントロールボックス８１に設けられたシャッタ開閉スイッチ８１ｃをＯＦＦにするとシャッタ６が開状態となっている場合でも、シャッタ開度「０」にすることができる。この時全閉となったことが分かるようシャッタ全閉ランプ８１ｄが点灯するよう設けてある。
【００１８】
コントロールボックス８１には開度設定目盛が設けてあり、前記シャッタ開度設定ダイヤル８１ｂを所望のシャッタ開度となるよう開度設定目盛まで回動させることにより、シャッタ開度指示抵抗値をシャッタ開度制御装置８へ出力し電動モータＭを回動させる。
【００１９】
電動モータＭの回動とともにモータギヤ７１が回動し、このモータギヤと噛合するシャッタギヤプレート７２を回動させ、このシャッタギヤプレート７２の軸支部に設けられたポテンショメータ８２がシャッタギヤプレート７２の回動にともない、電気抵抗値を変位させながらシャッタ開度制御装置８へ出力する。
【００２０】
シャッタ開度設定ダイヤル８１ｂから出力されるシャッタ開度指示抵抗値およびポテンショメータ８２から出力される電気抵抗値をシャッタ開度制御装置８内に設けられるＣＰＵ８４により抵抗値比較を行い、シャッタ開側リレー８３ａまたはシャッタ閉側リレー８３ｂを介して電動モータＭの回動制御を行う。
【００２１】
前記のように、電動による作動回路を有する農作業機は、トラクタ側と農作業機側との間をワイヤハーネス９１で連結された状態となっている。このため農作業機を外す際には、ワイヤハーネス９１に設けたカプラ９０部分でトラクタＴ側であるコントロールボックス８１側と農作業機側である肥料散布機Ａ側とに図３に示すＹ−Ｙ部分で分離される。９８はトラクタ搭載のバッテリーであり、電動回路はこれを電源として利用している。
【００２２】
コントロールボックス８１側は農作業機側とともにトラクタ側から外すことも可能であるが、屋外に置く場合はコントロールボックス８１の雨水等からの保護のため農作業機側から分離して保管することが一般におこなわれている。また、コントロールボックス８１側を他の農作業機と兼用して使用する場合もあり、農作業機側のカプラは結合が外され端子が外部に開放された無防備の状態となっていた。
【００２３】
このため前記カプラ９０部分には、図１に示すように軟質材のビニール等で形成されカプラ９０ａ全体を覆うように形成したカバー９２を設け、ワイヤハーネスの作業機側カプラ９０ａとトラクタ側カプラ９０ｂを連結する場合は、カバー９２の一部を切開するように設けた取出し口９２ｂよりカプラ９０を引出し連結する。そして、作業機側をトラクタＴより外しカプラ９０の連結を解除したときには、図２に示すようにカバー９２の中に作業機側カプラ９０ａを収納する。これによりカプラ部を保護することが可能となる。
【００２４】
取出し口９２ｂ部分はファスナー９２ａで開閉するように構成しワイヤハーネス９１側の取付け部をビニールテープ等で固定すると密閉性をより保つ事ができる。また、カバー９２の取出し口９２ｂの位置はカプラが取出しやすい位置に適宜設ければよい。カバー９２は、作業機側カプラ９０ａのみに限らずトラクタ側カプラ９０ｂ側にも設けてもよい。
【図面の簡単な説明】
【００２５】
【図１】本発明を実施したカプラ部の斜視図
【図２】同カプラをカバーで覆った状態の斜視図
【図３】電動作動部を有した農作業機の一例である肥料散布機のワイヤハーネスの連結説明図
【図４】同肥料散布機の一部を断面した斜視図
【図５】同肥料散布機の電気回路図
【図６】トラクタに装着した状態の肥料散布機の側面図
【符号の説明】
【００２６】
１      機枠
１１    トップブラケット
１２Ｌ，１２Ｒ    ロアリンクブラケット
２      ホッパ
２１    底板
３      アジテータ
４      スピンナ
４１    散布羽根
５      ミッション
５１    入力軸
６      シャッタ
７      シャッタ開閉装置
７１    モータギヤ
７２    シャッタギヤプレート
７３    シャッタロット
７４    シャッタリンク
８      シャッタ開度制御装置
８１    コントロールボックス
８１ａ  メインスイッチ
８１ｂ  シャッタ開度設定ダイヤル
８１ｃ  シャッタ開閉スイッチ
８１ｄ  シャッタ全閉ランプ
８１ｅ  シャッタ開度確認ランプ
８２    ポテンショメータ
８３ａ  シャッタ開側リレー
８３ｂ  シャッタ閉側リレー
８４    ＣＰＵ
９０    カプラ
９０ａ  作業機側カプラ
９０ｂ  トラクタ側カプラ
９１    ワイヤハーネス
９２    カバー
９２ａ  ファスナー
９２ｂ  取出し口
９８    バッテリー
Ａ      肥料散布機
Ｍ      電動モータ
Ｔ      トラクタ
【図１】
2007195447.tif 000003
【図２】
2007195447.tif 000004
【図３】
2007195447.tif 000005
【図４】
2007195447.tif 000006
【図５】
2007195447.tif 000007
【図６】
2007195447.tif 000008